(57)【特許請求の範囲】
【請求項１】
電気部品と、
前記電気部品を駆動制御させる制御回路基板と、
前記電気部品と前記制御回路基板を電気的に接続させる可とう性の平面状ケーブルとを備える遊技機であって、
前記制御回路基板は、遊技機に固定部材を介して着脱自在に取り付けられた基板収納ボックスに収納されて配置され、
前記基板収納ボックスは、前記制御回路基板の端子部を露出させる端子露出部が設けられ、
前記平面状ケーブルは、前記制御回路基板との電気的な接続部を含んで構成され、前記基板収納ボックスの前記端子露出部から露出される前記制御回路基板の端子部に嵌合およびその解除がなされる前記接続部によって、前記制御回路基板に対して着脱自在に構成され、
前記平面状ケーブルは、前記接続部が前記制御回路基板の端子部に嵌合される状態では、前記固定部材を被うようにして配置されることにより前記基板収納ボックスの固定解除作業を妨げ、
前記固定部材は、前記平面状ケーブルの側の操作によって固定解除がなされる固定解除部材を備えて構成され、前記平面状ケーブルの前記接続部が前記制御回路基板の端子部に嵌合される状態で前記固定解除部材の操作が前記平面状ケーブルによって規制される
ことを特徴とする遊技機。
【請求項２】
前記固定解除部材は、前記平面状ケーブルの側の操作によって固定解除がなされるレバーであることを特徴とする請求項１に記載の遊技機。
【請求項３】
前記固定解除部材は、前記平面状ケーブルの側の操作によって固定解除がなされるフックであることを特徴とする請求項１に記載の遊技機。
【発明の詳細な説明】
【技術分野】
【０００１】
本発明は遊技機に係り、たとえば、液晶表示装置等の図柄表示器を備える遊技機に関する。
【背景技術】
【０００２】
たとえばパチンコ機等の遊技機には、その遊技盤の裏面のほぼ中央に液晶表示装置が配置され、この液晶表示器の画像表示面は遊技盤を通して目視できるように構成されている。このような液晶表示装置は、たとえば、パチンコ遊技の最中においてインフォメーション等を表示し、あるいは入賞の際にその興奮を盛り上げさせるような工夫がされた画像を表示するようになっている。
【０００３】
液晶表示装置は、通常、液晶表示パネルと、この液晶表示パネルの背面に配置されるバックライトとからなる液晶表示ユニット（図柄表示ユニット）に、この液晶表示ユニットの背面に配置されるプリント基板（表示制御回路基板）をケーシングによってモジュール化させた一体型のものが用いられている。
【０００４】
ここで、製造時あるいはパチンコホール等において、プリント基板を点検しあるいは取り替える必要が生じ、該プリント基板を遊技盤に対して着脱させなければならない場合がある。この場合、液晶表示装置が、上述したようにプリント基板とともに一体型となっている場合、プリント基板だけでなく液晶表示パネルおよびバックライトも一緒に遊技盤に対して着脱させなければならない構成となっていた。
【０００５】
しかし、液晶表示パネルとして、大型（たとえば19.6inch程度）のものを使用する場合、液晶表示装置の遊技盤に対する着脱作業が極めて困難になるという不都合を有する。それ故、このような不都合を解消する遊技機として、たとえば、プリント基板を基板収納ボックスに収納させて構成し、この基板収納ボックスを液晶表示ユニット（液晶表示パネル、バックライト）に対して着脱可能となるように別体として構成したものが知られている（下記特許文献１参照）。この場合、基板収納ボックスは液晶表示ユニットに対してたとえば固定手段によって取り付けることが考えられ、また、液晶表示ユニットとプリント基板との電気的接続はたとえば下記特許文献２で示されるようなフレキシブル（可とう性）なフラットケーブル（平面状ケーブル）を介してなすことが考えられる。
【０００６】
このように構成された遊技機は、プリント基板を遊技盤に対して着脱させたい場合に、基板収納ボックスのみを着脱させればよく、プリント基板の着脱作業を極めて容易にすることができる。
【先行技術文献】
【特許文献】
【０００７】
【特許文献１】特開2007-135684号公報
【特許文献２】特開平10-65349号公報
【発明の概要】
【発明が解決しようとする課題】
【０００８】
ここで、上記のような遊技機において、たとえば、プリント基板を遊技盤から取り外す場合、プリント基板に接続されるフラットケーブルを取り外す行為、基板収納ボックスの液晶表示ユニットに対する固定を解除する行為が必要となる。
【０００９】
しかし、往々にして、プリント基板からフラットケーブルを取り外すことを忘れ、基板収納ボックスの液晶表示ユニットに対する固定を解除しただけの状態で、基板収納ボックスから液晶表示ユニットから取り外そうとしてしまう場合がある。この場合、プリント基板と液晶表示ユニットを連結するフラットケーブルに大きな力が加わり、液晶表示ユニットとフラットケーブルを電気的に接続させるコネクタの部分を破損させてしまうおそれがある。
この場合、フレキシブル（可とう性）なフラットケーブルでなく、フレキシブル（可とう性）な単なるケーブルによって液晶表示ユニットとプリント基板とを電気接続した場合に比べ、フレキシブル（可とう性）なフラットケーブルを用いた場合にコネクタの部分の破損が著しくなることが判明している。
【００１０】
このような不都合は、表示制御回路基板からなるプリント基板に限らず、たとえば遊技機の全体を制御する制御回路基板からなるプリント基板においても同様に生じるようになっている。
【００１１】
本発明は、このような事情に基づいてなされたものであり、その目的は、遊技機に対して制御回路基板を取り外す場合に、遊技機側と制御回路基板との電気的接続を図る可とう性の平面状ケーブルの制御回路基板との接続部を破損させるおそれのない遊技機を提供することにある。
【課題を解決するための手段】
【００１２】
このような目的を達成するために、本発明は、遊技機に対して制御回路基板が着脱可能に取り付けられ、遊技機と制御回路基板とが可とう性の平面状ケーブルを介して電気的に接続されている遊技機であって、前記平面状ケーブルを取り外した後に、制御回路基板を取り外せるという手順を構造的に決定させるように構成したものである。
【００１３】
本発明は、以下の構成によって把握される。
（１）本発明の遊技機は、電気部品と、前記電気部品を駆動制御させる制御回路基板と、前記電気部品と前記制御回路基板を電気的に接続させる可とう性の平面状ケーブルとを備える遊技機であって、前記制御回路基板は、遊技機に固定部材を介して着脱自在に取り付けられた基板収納ボックスに収納されて配置され、前記基板収納ボックスは、前記制御回路基板の端子部を露出させる端子露出部が設けられ、前記平面状ケーブルは、前記制御回路基板との電気的な接続部を含んで構成され、前記基板収納ボックスの前記端子露出部から露出される前記制御回路基板の端子部に嵌合およびその解除がなされる前記接続部によって、前記制御回路基板に対して着脱自在に構成され、前記平面状ケーブルは、前記接続部が前記制御回路基板の端子部に嵌合される状態では、前記接続部が前記制御回路基板の端子部に嵌合される状態では、前記固定部材を被うようにして配置されることにより前記基板収納ボックスの固定解除作業を妨げ、前記固定部材は、前記平面状ケーブルの側の操作によって固定解除がなされる固定解除部材を備えて構成され、前記平面状ケーブルの前記接続部が前記制御回路基板の端子部に嵌合される状態で前記固定解除部材の操作が前記平面状ケーブルによって規制されることを特徴とする。
（２）上記（１）に記載の遊技機において、前記固定解除部材は、前記平面状ケーブルの側の操作によって固定解除がなされるレバーとしてもよい。
（３）上記（１）に記載の遊技機において、前記固定解除部材は、前記平面状ケーブルの側の操作によって固定解除がなされるフックとしてもよい。
【発明の効果】
【００１４】
このように構成した遊技機によれば、遊技機に対して制御回路基板を取り外す場合に、遊技機側と制御回路基板との電気的接続を図る可とう性の平板状ケーブルの制御回路基板との接続部を破損させるおそれのないものを得ることができる。
【図面の簡単な説明】
【００１５】
【図１】（ａ）は本発明の遊技機の遊技盤を示す図で、（ｂ）は該遊技盤の裏面を斜視的に示した図である。
【図２】図１（ｂ）に示す状態（ただし、遊技盤を省略している）から基板収納ボックスを取り外した状態を示した図である。
【図３】本発明の遊技機の実施態様１における裏面を示し、（ａ）は液晶表示ユニットに接続されているフラットケーブルのコネクタが表示制御基板への嵌合が解除されている状態を示す図であり、（ｂ）は該コネクタが嵌合されている状態を示す図である。
【図４】（ａ）、（ｂ）は、それぞれ、図３（ａ）、（ｂ）に対応する図で、基板収納ボックスを液晶表示ユニットと平行な面で切断した断面を概略的に示した図である。
【図５】フラットケーブルのコネクタを表示制御基板から外した場合にネジが解除できる状態であることを示す図である。
【図６】基板収納ボックスの基板端子露出部に対向させてボックス支持板に形成されたケーブル保持部を斜視的に示した図である。
【図７】フラットケーブルのコネクタを表示制御基板から外した場合にネジが隠れる場合、該フラットケーブルの表面に該ネジの存在を知らしめる表示がなされていることを示す図である。
【図８】本発明の遊技機の実施態様２における裏面を示し、（ａ）は、液晶表示ユニットに接続されたフラットケーブルのコネクタが表示制御基板に嵌合されておらず、固定部材のレバーが上方に揺動され、基板収納ボックスのボックス支持板への固定が完了していない状態を示す図であり、（ｂ）は、（ａ）に示す状態において、固定部材のレバーが下方に揺動され、基板収納ボックスのボックス支持板への固定が完了されている状態を示す図であり、（ｃ）は、（ｂ）に示す状態において、フラットケーブルのコネクタが表示制御基板に嵌合されている状態を示すである。
【図９】（ａ）、（ｂ）、（ｃ）は、それぞれ、図８（ａ）、（ｂ）、（ｃ）に対応する図で、基板収納ボックスを液晶表示ユニットと平行な面で切断した断面を概略的に示した図である。
【図１０】本発明の遊技機の実施態様３における裏面を示し、（ａ）は液晶表示ユニットに接続されているフラットケーブルのコネクタが表示制御基板への嵌合が解除されている状態を示す図であり、（ｂ）は該コネクタが嵌合されている状態を示す図である。
【図１１】（ａ）、（ｂ）は、それぞれ、図１０（ａ）、（ｂ）に対応する図で、基板収納ボックスを液晶表示ユニットと垂直な面で切断した断面を概略的に示した図である。
【発明を実施するための形態】
【００１６】
以下、添付図面を参照して、本発明を実施するための形態（以下、実施形態）について詳細に説明する。なお、実施形態の説明の全体を通して同じ要素には同じ番号を付している。
（実施態様１）
図１（ａ）、（ｂ）は、本発明の遊技機に組み込まれる液晶表示ユニットと基板収納ボックスの実施態様１を示す構成図である。図１（ａ）は、たとえばパチンコ機からなる遊技機の一部をなす遊技盤の正面図を示し、図１（ｂ）は、該遊技盤の背面を示す斜視図である。
【００１７】
まず、図１（ａ）において、遊技盤１０は、その周辺の若干の領域を除く中央部において遊技領域１１を有するようになっている。遊技領域１１はほぼ円形のガイドレール１２に囲まれるように構成され、このガイドレール１２は、図中下側から左肩側にかけて外側レール１２Ａと内側レール１２Ｂを備え、パチンコ球を外側レール１２Ａと内側レール１２Ｂの間の通路を通して遊技領域１１の上方へ導くようになっている。パチンコ球は、図示しない機枠に取り付けられた操作レバーによって駆動される打槌機構によって、図中下側から外側レール１２Ａと内側レール１２Ｂの間の通路に発射されるようになっている。なお、遊技領域１１の上方から落下するパチンコ球は、図示しない周知の入賞口、始動口等に入賞したものを除いて、遊技領域１１の最下端位置に設けられアウト口用開口１３を通して回収されるようになっている。
【００１８】
遊技盤１０の遊技領域１１のほぼ中央であって若干上側に偏位した位置にたとえば矩形状の開口１４が形成されている。遊技盤１０の裏面には、図１（ｂ）に示すように、液晶表示装置２０が配置され、この液晶表示装置２０の表示面は前記開口１４を通して目視できるようになっている。液晶表示装置２０は、たとえば、パチンコ遊技の最中においてインフォメーションを表示し、あるいは入賞の際にその興奮を盛り上げさせるような工夫がされた画像を表示するようになっている。なお、この液晶表示装置２０は表示面がたとえば19.6inchからなる大型のものが用いられている。
【００１９】
なお、遊技領域１１には、上述した入賞口、始動口等の部材の他に、複数の傷害釘、風車等が散在されて設けられ、これら傷害釘、風車等に当たったパチンコ球は、その当たり方に応じた方向に落下できるようになっている。
【００２０】
上述した液晶表示装置２０は、図１（ｂ）に示すように、遊技盤１０の裏面に表示面を対向させるようにして該遊技盤１０に取り付けられている。液晶表示装置２０は、遊技盤１０側から、順次、液晶表示ユニット２０Ａ、ボックス支持板２０Ｂ、および基板収納ボックス２０Ｃが重畳するようにして配置されて構成されている。
【００２１】
液晶表示ユニット２０Ａは、表示面を有する液晶表示パネル（図示せず）と、この液晶表示パネルの背面に配置されるバックライト（図示せず）とをフレームによってモジュール化された状態で構成されている。
【００２２】
基板収納ボックス２０Ｃは、液晶表示ユニット２０Ａの液晶表示パネルおよびバックライトに制御信号あるいは電源を供給するためのプリント基板からなる表示制御回路基板（図４（ａ）、（ｂ）において符号３０で示す）を収納させた箱体から構成されている。ここで、表示制御回路基板３０は、たとえば、表示（演出）内容を制御するサブ制御基板（図示せず）からの制御信号に基づいて、液晶表示ユニット２０Ａの液晶表示パネルおよびバックライトに制御信号あるいは電源を供給するドライバ回路として構成されている。そして、表示制御回路基板３０は、液晶表示ユニット２０Ａとフレキシブルなフラットケーブル２１を介して電気的に接続され、前記制御信号あるいは電源の供給がなされるようになっている。
【００２３】
フラットケーブル２１と基板収納ボックス２０Ｃ内の表示制御回路基板３０はコネクタ（図４（ｂ）において符号２１Ａで示す）を介して電気的な接続がなされるようになっている。コネクタ２１Ａは、表示制御回路基板３０の端子部（図４（ａ）、（ｂ）において符号３０Ａで示す）に嵌合されるようになっており、この状態で、コネクタ３０Ａはコネクタケース２２によって被われ、外的な障害から保護されるように構成されている。
【００２４】
ここで、基板収納ボックス２０Ｃは、遊技盤１０側に固定されている液晶表示ユニット２０Ａに対し、着脱可能となるように別体として構成されている。図２は、図１（ｂ）に対応づけて描いた図（遊技盤１０は省略している）であり、図１（ｂ）に示す状態から基板収納ボックス２０Ｃを取り外した状態を示している。図２に示すように、液晶表示ユニット２０Ａの背面にはボックス支持板２０Ｂが設けられ、基板収納ボックス２０Ｃは該ボックス支持板２０Ｂに対して着脱自在に取り付けられるようになっている。すなわち、ボックス支持板２０Ｂには、基板収納ボックス２０Ｃと対向する領域の下辺において互いに離間して配置される一対の爪挿入孔２３が設けられ、該領域の上辺のたとえば図中左側にネジ螺入孔２４が設けられて構成されている。また、基板収納ボックス２０Ｃには、ボックス支持板２０Ｂに取り付ける際に、前記爪挿入孔２３に対応する個所に爪部（図４（ａ）、（ｂ）において符号３２で示す）が形成され、前記ネジ螺入孔２４に対応する個所にネジ挿入口（図４（ａ）、（ｂ）において符号２６で示す）が設けられて構成されている。基板収納ボックス２０Ｃのそれぞれの爪部３２をボックス支持板２０Ｂの各爪挿入孔２３に係合させた後に、基板収納ボックス２０Ｃのネジ挿入口２６からネジ（図４（ｂ）において符号３３で示す）を挿入するとともにボックス支持板２０Ｂのネジ螺入孔２４に螺入させることにより、基板収納ボックス２０Ｃはボックス支持板２０Ｂ（すなわち、液晶表示ユニット２０Ａ）に取り付けられるようになっている。また、ボックス支持板２０Ｂに螺入されているネジ３３を基板収納ボックス２０Ｃのネジ挿入口２６を通して外すとともに、基板収納ボックス２０Ｃのそれぞれの爪部３２をボックス支持板２０Ｂの各爪挿入孔２３から外すことにより、基板収納ボックス２０Ｃはボックス支持板２０Ｂ（すなわち、液晶表示ユニット２０Ａ）から取り外せるようになっている。
【００２５】
図３（ａ）、（ｂ）は、基板収納ボックス２０Ｃをボックス支持板２０Ｂに取り付けた状態を示した図である（コネクタケース２２は外されている）。図３（ａ）は、液晶表示ユニット２０Ａに接続されたフラットケーブル２１のコネクタ２１Ａが表示制御回路基板（図４（ａ）、（ｂ）において符号３０で示す）の端子部３０Ａに嵌合されていない状態（電気的に非接続）を示し、図３（ｂ）は、フラットケーブル２１のコネクタ２１Ａが表示制御回路基板３０の端子部３０Ａに嵌合（電気的に接続）されている状態を示している。なお、図３（ａ）、（ｂ）において、それぞれ図中左側において、フラットケーブル２１のコネクタ２１Ａの近傍における拡大図を示している。
【００２６】
ここで、基板収納ボックス２０Ｃには、図３（ａ）、（ｂ）に示すように、前記ネジ挿入孔２６に対向する上方側面において、開口からなる基板端子露出部２７が形成され、この基板端子露出部２７からは基板収納ボックス２０Ｃに収納された表示制御回路基板３０の端子部３０Ａが露出されるようになっている。すなわち、この基板端子露出部２７を通して、表示制御回路基板３０の端子部３０Ａにフラットケーブル２１のコネクタ２１Ａが嵌合され、液晶表示ユニット２０Ａと表示制御回路基板３０との電気的接続が図れるようになっている。
【００２７】
図４（ａ）は、図３（ａ）に示す図において、基板収納ボックス２０Ｃを液晶表示ユニット２０Ａと平行な面（図中ｘｙ面）で切断した断面を概略的に示した図である。図４（ａ）に示すように、基板収納ボックス２０Ｃには表示制御回路基板３０が収納され、該表示制御回路基板３０の端子部３０Ａは、基板収納ボックス２０Ｃに形成された開口からなる基板端子露出部２７を通して露出されるようになっている。そして、この実施態様では、基板収納ボックス２０Ｃに形成されるネジ挿入孔２６は、基板端子露出部２７に対してたとえば図中右側に若干ずれた位置に形成されるようになっている。なお、図４（ａ）において、基板収納ボックス２０Ｃの下辺部には、上述したように、ボックス支持板２０Ｂの爪挿入孔２３に係合される爪３２が設けられている。
【００２８】
図４（ｂ）は、図３（ｂ）に示す図において、基板収納ボックス２０Ｃを液晶表示ユニット２０Ａと平行な面で切断した断面を概略的に示した図である。図４（ｂ）に示すように、液晶表示ユニット２０Ａに接続されたフラットケーブル２１のコネクタ２１Ａは、表示制御回路基板３０の端子部３０Ａに嵌合された状態となっている。この場合、基板収納ボックス２０Ｃのボックス支持板２０Ｂに対する固定手段となるネジ３３は、その頭部（回転操作部）の一部においてフラットケーブル２１から露出された状態で目視でき、残りの部分においてフラットケーブル２１によって被い隠されるようになっている。該ネジ３３が、その一部においてフラットケーブル２１から露出された状態で目視できるようにしたのは、該フラットケーブル２１の裏側に該ネジ３３の存在を作業者に知らしめるためである。また、ネジ３３が、残りの部分においてフラットケーブル２１によって被い隠されるようにしたのは、フラットケーブル２１が表示制御回路基板３０に電気的に接続された状態では、ネジ３３を操作（回転）させることを妨げるようにしているためである。すなわち、フラットケーブル２１は、ネジ３３を取り外す際の動作軌跡上における方向（ネジ３３の取り外し方向）と交差部を有するように配置させることによって、ネジ３３の操作および取り外しを妨げるようにしている。
【００２９】
そして、図５は、フラットケーブル２１のコネクタ２１Ａを表示制御回路基板３０の端子部３０Ａから外した状態を示した図である。図５に示すように、コネクタ２１Ａがフラットケーブル２１の自由端となることにより、ネジ３３の全体をフラットケーブル２１から露出させることができるようになる。これにより、該ネジ３３の操作（回転）を行うことができ、基板収納ボックス２０Ｃをボックス支持板２０Ｂから外すことができるようになる。
【００３０】
このことは、基板収納ボックス２０Ｃをボックス支持板２０Ｂから外す場合には、まず、フラットケーブル２１のコネクタ２１Ａを表示制御回路基板３０の端子部３０Ａから外すことが前提となり、フラットケーブル２１のコネクタ２１Ａを表示制御回路基板３０の端子部３０Ａから外すことなく、基板収納ボックス２０Ｃをボックス支持板２０Ｂから外すことはできないことになる。このため、基板収納ボックス２０Ｃをボックス支持板２０Ｂから外す場合に、フラットケーブル２１を引っ張ってしまうことを防止でき、該コネクタ２１Ａを破損してしまうことを回避できるようになる。
【００３１】
なお、ボックス支持板２０Ｂにおいて、基板収納ボックス２０Ｃの基板端子露出部２７の上部側の個所には、図６に示すように、たとえば水平方向（図中ｘ方向）に延在し一端が開口されたスリット３５Ａを有するケーブル保持部３５が形成されている。フラットケーブル２１は、コネクタ２１Ａの近傍の個所においてケーブル保持部３５のスリット３５Ａを通して配置されるようになっている。このようにケーブル保持部３５を設けることにより、コネクタ２１Ａを表示制御回路基板３０の端子部３０Ａから外した際に、フラットケーブル２１が垂れてしまうのを防ぎ、たとえば基板収納ボックス２０Ｃを外す際の邪魔にならないようになっている。また、スリット３５Ａの幅ｗはコネクタ２１Ａの厚さｔよりも小さく形成され、これにより、コネクタ２１Ａを表示制御回路基板３０の端子部３０Ａから外した際に、コネクタ２１Ａがスリット３５Ａを通り抜けないようにして、常時、基板収納ボックス２０Ｃの基板端子露出部２７の近傍に配置できるようになっている。
上述した実施態様１では、図４（ｂ）に示したように、フラットケーブル２１のコネクタ２１Ａが表示制御回路基板３０の端子部３０Ａに接続されている状態で、基板収納ボックス２０Ｃのボックス支持板２０Ｂに対する固定部材であるネジ３３が、その一部においてフラットケーブル２１から目視でき、残りの部分においてフラットケーブル２１によって被い隠されるように構成したものである。しかし、これに限定されることはなく、たとえば図４（ｂ）に対応して描いた図７（基板収納ボックス２０Ｃ、表示制御回路基板３０は一部切り欠いている）に示すように、該ネジ３３は、フラットケーブル２１によって完全に被い隠される位置に設けられるようにしてもよい。このように構成することによって、固定部材であるネジ３３の取り外しを規制するだけでなく、外部からネジ３３のアクセスを遮断、あるいは邪魔するようにできる効果を奏するようになる。この場合、図７に示すように、フラットケーブル２１に、該ネジ３３が設けられた位置に対応する個所に該ネジ３３の存在を示す表示（図７ではたとえば黒丸３７の表示をしている）をすることによって、作業者にネジ３３の存在を知らせることができる。ネジ３３の存在を示す表示としては、黒丸３７に限定されることはなく、たとえばネジ３３の平面形状を模した描画であってもよい。
（実施態様２）
実施態様１に示した遊技機は、基板収納ボックス２０Ｃのボックス支持板２０Ｂへの固定をネジ３３からなる固定部材によって行ったものである。しかし、これに限定されることはなく、以下に示すように、レバーを備える機構によって行うようにしてもよい。
【００３２】
図８（ａ）、（ｂ）、（ｃ）は、ボックス支持板２０Ｂに基板収納ボックス２０Ｃを取り付けた状態を示した図である（コネクタケース２２は外されている）。図８（ａ）は、液晶表示ユニット２０Ａに接続されたフラットケーブル２１のコネクタ２１Ａが表示制御回路基板３０の端子部３０Ａに嵌合されておらず、固定部材４０のレバー４０Ａが上方に揺動され、基板収納ボックス２０Ｃのボックス支持板２０Ｂへの固定が完了していない状態を示している。図８（ｂ）は、図８（ａ）に示す状態において、固定部材のレバーが下方に揺動され、基板収納ボックス２０Ｃのボックス支持板２０Ｂへの固定が完了されている状態を示している。図８（ｃ）は、図８（ｂ）に示す状態において、フラットケーブル２１のコネクタ２１Ａが表示制御回路基板３０の端子部３０Ａに嵌合されている状態を示している。なお、図３（ａ）、（ｂ）、（ｃ）において、それぞれ図中左側において、フラットケーブル２１のコネクタ２１Ａの近傍における拡大図を示している。
【００３３】
また、図９（ａ）、（ｂ）、（ｃ）は、それぞれ、図８（ａ）、（ｂ）、（ｃ）に対応する図で、基板収納ボックス２０Ｃを液晶表示ユニット２０Ａと平行な面（図中ｘｙ面）で切断した断面を概略的に示した図である。
【００３４】
図９（ａ）に示すように、固定部材４０のレバー４０Ａは、その一端が図中ｚ方向に植設された支持軸４０Ｂによってボックス支持板２０Ｂに軸支され、他端が図中ｘｙ面内で揺動できるようになっている。これにより、レバー４０Ａの他端は該レバーを操作する操作部４０Ｃとなっている。そして、レバー４０Ａのほぼ中央部には基板収納ボックス２０Ｃの側に延在する係止部４０Ｄが設けられ、レバー４０Ａを基板収納ボックス２０Ｃの側（図中矢印方向）に揺動させることにより、該係止部４０Ｄは、図９（ｂ）に示すように、基板収納ボックス２０Ｃのボックス支持板２０Ｂに平行（図中ｘｙ面に平行）に形成されている底面板２０Ｐに沿って摺動されるようになっている。この場合、係止部４０Ｄの底面板２０Ｐに対向する面に、たとえば傾斜（図示せず）が設けられ、係止部４０Ｄの上述した摺動によって、基板収納ボックス２０Ｃの底面板２０Ｐがボックス支持板２０Ｂに押圧され、これにより、基板収納ボックス２０Ｃとボックス支持板２０Ｂとの固定がなされるようになっている。また、レバー４０Ａを基板収納ボックス２０Ｃと反対の側に揺動させることにより、レバー４０Ａの係止部４０Ｄが基板収納ボックス２０Ｃの底面板２０Ｐから外れ、基板収納ボックス２０Ｃとボックス支持板２０Ｂとの固定が解除されるようになっている。
【００３５】
基板収納ボックス２０Ｃのボックス支持板２０Ｂへの固定がなされた状態（レバー４０Ａが基板収納ボックス２０Ｃ側へ揺動されている状態）で、フラットケーブル２１は、図９（ｃ）に示すように、固定部材４０のレバー４０Ａを跨るようにして配置され、この状態でフラットケーブル２１のコネクタ２１Ａは、基板収納ボックス２０Ｃの基板端子露出部２７から露出されている表示制御回路基板３０の端子部３０Ａに嵌合されるようになっている。そして、この状態では、フラットケーブル２１は、レバー４０Ａの遊技機に対する基板収納ボックス２０Ｃの解除のための動作軌跡上の方向（レバー４０Ａの移動方向）と交差部を有するように配置されていることから、レバー４０Ａは、フラットケーブル２１が邪魔となって、その操作が規制されるようになっている。
【００３６】
なお、図９（ａ）では、レバー４０Ａを備える固定部材４０の存在を知らしめるため、該レバー４０Ａの両端（支持軸４０Ｂ、操作部４０Ｃ）はフラットケーブル２１から露出されるように構成されている。しかし、これに限定されることはなく、レバー４０Ａの全部を被うようにしてフラットケーブル２１を配置させるようにしてもよい。レバー４０Ａの移動を規制するだけでなく、外部からレバー４０へのアクセスを遮断・邪魔できる効果を奏するからである。この場合、フラットケーブル２１の表面には前記固定部材４０の存在を知らしめる表示をしてもよいことは実施態様１で示したと同様である。
【００３７】
さらに、実施態様２においても、図６に示したように、ボックス支持板２０Ｂの基板収納ボックス２０Ｃの基板端子露出部２７に対向する個所に、ケーブル保持部３５を設けるようにしてもよいことはいうまでもない。
【００３８】
なお、レバー４０Ａを備える固定部材４０の機構は、上述したものに限定されることはなく、他の周知の機構を採用できることはもちろんである。
（実施態様３）
実施態様２に示した遊技機は、基板収納ボックス２０Ｃのボックス支持板２０Ｂへの固定をレバー４０Ａを有する固定部材４０によって行ったものである。しかし、以下に示すように、フックを備える機構によって行うこともできる。
【００３９】
図１０（ａ）、（ｂ）は、ボックス支持板２０Ｂに基板収納ボックス２０Ｃを取り付けた状態を示した図である（コネクタケース２２は外されている）。図１０（ａ）は、液晶表示ユニット２０Ａに接続されたフラットケーブル２１のコネクタ２１Ａが表示制御回路基板３０の端子部３０Ａに嵌合されておらず、固定部材５０のフック５０Ａによって、基板収納ボックス２０Ｃのボックス支持板２０Ｂへの固定がなされている状態を示している。図１０（ｂ）は、図１０（ａ）に示す状態において、フラットケーブル２１のコネクタ２１Ａが表示制御回路基板３０の端子部３０Ａに嵌合されている状態を示している。なお、図１０（ａ）、（ｂ）において、それぞれ図中左側において、フラットケーブル２１のコネクタ２１Ａの近傍における拡大図を示している。
【００４０】
また、図１１（ａ）、（ｂ）は、それぞれ、図１０（ａ）、（ｂ）に対応する図で、基板収納ボックス２０Ｃを液晶表示ユニット２０Ａと垂直な面（図中ｙｚ面）で切断した断面を概略的に示した図である。
【００４１】
図１１（ａ）、（ｂ）において、固定部材５０のフック５０Ａは、その一端がボックス支持板２０Ｂに固定され、他端は基板収納ボックス２０Ｃの側に延在されて形成されている。フック５０Ａは、弾性を有し、操作部５０Ｂとなる他端を持って図中ｙｚ面内で揺動できるようになっている。そして、フック５０Ａの他端である操作部５０Ｂには、該フック５０Ａの固定部側に対向する面を有する係止部５０Ｃが一体に形成されている。この係止部５０Ｃは、フック５０Ａを基板収納ボックス２０Ｃの側に揺動させた場合（押圧した場合）、図１１（ａ）に示すように、基板収納ボックス２０Ｃの底面板２０Ｐに形成された突起部２０Ｑの外側面（フック５０Ａの固定部に対して外側の面）に摺動し、該突起部２０Ｑに係合できるようになっている。この場合、フック５０Ａの係合部５０Ｃの前記突起部２０Ｑと対向する面、および突起部２０Ｑの前記係合部５０Ｃと対向する面には、互いに当接される斜面(図中符号αで示している)が形成され、フック５０Ａを基板収納ボックス２０Ｃの側に揺動させた際に、基板収納ボックス２０Ｃをボックス支持板２０Ｂの側に押圧でき、基板収納ボックス２０Ｃとボックス支持板２０Ｂとの固定がなされるようになっている。また、フック５０Ａを基板収納ボックス２０Ｃと反対の側（図１１（ａ）中矢印方向）に揺動させる（引っ張る）ことにより、フック５０Ａの係止部５０Ｃが基板収納ボックス２０Ｃの突起部２０Ｑから外れ、基板収納ボックス２０Ｃとボックス支持板２０Ｂとの固定が解除されるようになっている。
【００４２】
そして、図１１（ｂ）に示すように、基板収納ボックス２０Ｃのボックス支持板２０Ｂへの固定がなされた状態（フック５０Ａは基板収納ボックス２０Ｃ側へ揺動されている状態）で、フラットケーブル２１は、フック５０Ａの全部を跨るようにして配置され、この状態で該フラットケーブル２１のコネクタ２１Ａは、基板収納ボックス２０Ｃの基板端子露出部２７から露出されている表示制御回路基板３０の端子部３０Ａに嵌合されるようになっている。この状態において、フラットケーブル２１は、フック５０Ａの遊技機に対する基板収納ボックス２０Ｃの解除のための動作軌跡上の方向（フック５０Ａの移動方向）と交差部を有するように配置されていることから、フック５０Ａは、フラットケーブル２１が邪魔となって、その操作が規制されるようになっている。また、フラットケーブル２１は、フック５０Ａの全部を覆うようにして配置されることから、フック５０Ａの移動を規制するだけでなく、外部からフック５０へのアクセスを遮断・邪魔できる効果を奏する。
【００４３】
この場合において、フラットケーブル２１の表面には固定部材５０の存在を知らしめる表示をしてもよいことは実施態様１で示したと同様である。また、フラットケーブル２１は、フック５０Ａの全部を被うように配置させる必要はなく、フック５０Ａの一部を被うようにして配置させるようにしてもよい。このように構成した場合でも、フック５０Ａの移動を規制することができるからである。
【００４４】
なお、フック５０Ａを備える固定部材５０の機構は、上述したものに限定されることはなく、他の周知の機構を採用できることはもちろんである。
【００４５】
さらに、本発明による遊技機は、ボックス支持板２０Ｂに対する基板収納ボックス２０Ｃの固定部材は、ボックス支持板２０Ｂ側あるいは基板収納ボックス２０Ｃ側のいずれの側に設けられるようにしてもよいことはいうまでもない。
【００４６】
さらに、フラットケーブル２１は、表示制御回路基板３０の端子部３０Ａとの電気的接続を図るためのコネクタ２１Ａを具備するように構成されたものである。しかし、これに限定されることはなく、たとえばフレキシブルフラットケーブル（ＦＦＣ）、フレキシブルプリントサーキット（ＦＰＣ）に端子部が設けられ、この端子部が表示制御回路基板３０側に設けられたコネクタに嵌合される構成のものであっても適用できることはいうまでもない。要は、フラットケーブル２１において、表示制御回路基板３０との電気的な接続を図る接続部（コネクタあるいは端子部）が備えられたものであればよい。
さらに、本発明による遊技機は、表示制御回路基板３０と液晶表示ユニット２０Ａとの電気的接続を図るのに可とう性（フレキシブル）を有するフラットケーブル２１を使用したものである。しかし、可とう性を有する必要はなく、単に平面状をなすケーブル（この明細書において、平面状ケーブルと称する場合がある）であってもよいことはいうまでもない。
【００４７】
さらに、本発明による遊技機は、各実施態様を通して、パチンコ機を一例として説明したが、これに限定されることはなく、スロットマシーン等にも適用できることはいうまでもない。
【００４８】
本発明は、以下に記載する付記のような構成が考えられる。
［付記１］
本発明において、前記固定部材は、前記基板収納ボックスに設けられたネジ挿入孔を通して遊技機に螺入されるネジによって構成されていることを特徴とする遊技機。
［付記２］
本発明において、前記固定部材は、前記平面状ケーブルの側の操作によって固定解除がなされるレバーを備えて構成され、前記平面状ケーブルの前記接続部が前記制御回路基板の端子部に嵌合される状態で前記レバーの操作が前記平面状ケーブルによって規制されるようにしたことを特徴とする遊技機。
［付記３］
本発明において、前記固定部材は、前記平面状ケーブルの側の操作によって固定解除がなされるフックを備えて構成され、前記平面状ケーブルの前記接続部が前記制御回路基板の端子部に嵌合される状態で前記フックの操作が前記平面状ケーブルによって規制されるようにしたことを特徴とする遊技機。
［付記４］
本発明において、前記平面状ケーブルの近傍にケーブル保持部が設けられ、前記ケーブル保持部は、前記平面状ケーブルの前記接続部が前記制御回路基板の端子部との嵌合が解除された状態で、前記平面状ケーブルを前記接続部の近傍において保持できるようにしたことを特徴とする遊技機。
［付記５］
本発明において、前記平面状ケーブルは、前前記平面状ケーブルの前記接続部が前記制御回路基板の端子部に嵌合される状態で、前記固定部材の全部を被うようにして配置され、前記平面状ケーブルの表面には前記固定部材の存在を知らしめる表示が付されていることを特徴とする遊技機。
［付記６］
本発明において、前記電気部品は画像表示ユニットであることを特徴とする遊技機。
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【符号の説明】
【００４９】
２０Ａ……液晶表示ユニット、２０Ｃ……基板収納ボックス、２１……フラットケーブル、２１Ａ……コネクタ、３０……表示制御回路基板、３０Ａ……端子部、３３……ネジ（固定部材）、４０Ａ……レバー（固定部材）、５０Ａ……フック（固定部材）。
【図１】
0005488501.tif 000002
【図２】
0005488501.tif 000003
【図３】
0005488501.tif 000004
【図４】
0005488501.tif 000005
【図５】
0005488501.tif 000006
【図６】
0005488501.tif 000007
【図７】
0005488501.tif 000008
【図８】
0005488501.tif 000009
【図９】
0005488501.tif 000010
【図１０】
0005488501.tif 000011
【図１１】
0005488501.tif 000012